(57)【要約】      （修正有）【課題】金属や合成樹脂のボタンが直接便器頭部に接触しない便座カバーを提供する。【解決手段】洋式便器の便座２の少なくとも上面を覆う長さと幅を有するカバー生地１１を有する便座カバーであって、カバー生地１１の幅方向両端に複数対の合成樹脂製の雌雄ボタン３，４を有し、雌雄ボタン３，４のそれぞれは貫通孔を有して、貫通孔を介して雌雄ボタン３，４のそれぞれが生地カバーに取り付けられる。したがって、カバー生地を接合する雌雄ボタン３，４はそれぞれカバー生地１１の一面のみに露出し、他面には露出しない。その結果、雌雄ボタン３，４が向き合って係合することになり、前記係合した雌雄ボタンはカバー生地１１の間に隠れる。【選択図】図５
2014054470.tif 000002
【特許請求の範囲】
【請求項１】
洋式便器の便座（２）の少なくとも上面を覆う長さと幅を有するカバー生地（１１）を有する便座カバー（１）であって、
前記カバー生地（１１）の長手方向両端に設けた、便座の支点側の肩部に固定するためのベルト（１３ａ，１３ｂ）および留め具（１４）と、
前記カバー生地（１１）の幅方向両端に設けた、複数対の合成樹脂製の雌雄ボタン（３，４）を有し、
前記雌雄ボタン（３，４）のそれぞれは貫通孔（３４，４４）を有して、この貫通孔を介して前記雌雄ボタン（３，４）のそれぞれが糸（５，６）により前記生地カバーに取り付けられること、
前記カバー生地を接合する雌雄ボタン（３，４）はそれぞれ前記カバー生地（１１）の一面のみに露出し、他面には露出しないこと、および、
前記雌雄ボタン（３，４）が向き合って係合することにより、前記係合した雌雄ボタンは前記カバー生地（１１）の間に隠れることを特徴とする便座カバー（１）。
【請求項２】
前記雌雄各ボタン（３，４）のそれぞれの高さは２ｍｍ〜３ｍｍであり、前記雌雄ボタンの係合状態の総合高さは、３ｍｍ〜４ｍｍである請求項１記載の便座カバー。
【請求項３】
前記雌雄各ボタン（３，４）が取り付けられる前記カバー生地（１１）の幅方向両端が立毛パイルを有さない平面状生地である請求項１または２記載の便座カバー。
【請求項４】
洋式便器の便座（２）の少なくとも上面を覆う長さと幅を有するカバー生地（１１）と、前記カバー生地（１１）の長手方向両端に設けた、便座の支点側の肩部に固定するためのベルト（１３ａ，１３ｂ）および留め具（１４）と、前記カバー生地（１１）の幅方向両端に設けた、複数対の合成樹脂製の雌雄ボタン（３，４）を有する便座カバーの取付方法であって、
前記雌雄ボタン（３，４）のそれぞれを糸（５，６）により前記生地カバーに取り付け、
その際、前記カバー生地を接合する雌雄ボタン（３，４）はそれぞれ前記カバー生地（１１）の一面のみに露出し、他面には露出しないようにするとともに、前記雌雄ボタン（３，４）が向き合って係合するように取り付けることにより、係合した雌雄ボタンがカバー生地（１１）の間に隠れることを特徴とする便座カバー（１）の取付方法。
【発明の詳細な説明】
【技術分野】
【０００１】
本発明は、洋式便器の便座の上部を被覆する便座カバーおよびその取付方法に関する。
【背景技術】
【０００２】
従来、合成樹脂製の便座に直接座ったときの冷たい感触を避けるため便座を覆う形のカバーが用いられてきた。特に、昨今の節電意識の高まりにより、便座を温める代わりに、または設定温度を下げて、便座カバーを装着する人が増えているようである。
【０００３】
便座カバーにもさまざまなタイプがあるが、本発明が対象とするのはパイル編地の細長いシート状のものである。この便座カバーには幅方向の両端に雌雄のボタンやファスナーがそれぞれ取り付けられており、装着時にはこれらのボタンやファスナーの雌雄部材を係合させることにより、ほぼ筒状とするものである。たとえば、特開平１０―１７９４４９、特開２００６―３２５９５３、特開２００９―１１４８２、特開２００８―２１２４６２等の発明が知られている。
【発明の概要】
【発明が解決しようとする課題】
【０００４】
通常、金属の雌雄ボタンは、それぞれが表面部材と裏面部材を有しており、それらが打ち込み機により生地の上下から生地に対して打ち込まれてかしめられるので、金属部材が生地の上下に露出する。合成樹脂ボタンの場合でも生地を上下金型に挟んでその中に樹脂を注入して固化させるので、樹脂が生地の上下に露出する。
【０００５】
このようなボタンを有する便座カバーを便座に装着すると、係合した雌雄ボタンが便器の開放頭部に直接接触することがある。便座の下部には何カ所か隆起部が設けられており、便座と便器頭部はこの隆起部で接触するはずであるが、当たり所によっては、ボタンの部分で接触してしまうのである。そのようなとき、たまたま強く当たると便座にひびが入ったり、破損したりすることがある。
【０００６】
本発明は、この問題を解決するため、金属や合成樹脂のボタンが直接便器頭部に接触しないようにすることを目的とする。
【課題を解決するための手段】
【０００７】
本発明は、洋式便器の便座の少なくとも上面を覆う長さと幅を有するカバー生地を有する便座カバーであって、前記カバー生地の長手方向両端に設けた、便座の支点側の肩部に固定するためのベルトおよび留め具と、カバー生地の幅方向両端に設けた、複数対の合成樹脂製の雌雄ボタンを有し、前記雌雄ボタンのそれぞれは貫通孔を有して、この貫通孔を介して前記雌雄ボタンのそれぞれが糸により生地カバーに取り付けられること、前記カバー生地を接合する雌雄ボタンはそれぞれ前記カバー生地の一面のみに露出し、他面には露出しないこと、および、前記雌雄ボタンが向き合って係合することにより、前記係合した雌雄ボタンはカバー生地の間に隠れることを特徴とする。
【０００８】
好ましくは、雌雄各ボタンのそれぞれの高さは２ｍｍ〜３ｍｍであり、雌雄ボタンの係合状態の総合高さは、３ｍｍ〜４ｍｍである（請求項２）。
【０００９】
好ましくは、雌雄各ボタンが取り付けられる前記カバー生地の幅方向両端が立毛パイルを有さない平面状生地である（請求項３）。
【００１０】
本発明の便座カバーの取付方法は、洋式便器の便座の少なくとも上面を覆う長さと幅を有するカバー生地と、前記カバー生地の長手方向両端に設けた、便座の支点側の肩部に固定するためのベルトおよび留め具と、前記カバー生地の幅方向両端に設けた、複数対の合成樹脂製の雌雄ボタンを有する便座カバーの取付方法であって、前記雌雄ボタンのそれぞれを糸により前記生地カバーに取り付け、その際、前記カバー生地を接合する雌雄ボタンはそれぞれ前記カバー生地の一面のみに露出し、他面には露出しないようにするとともに、前記雌雄ボタンが向き合って係合するように取り付けることにより、係合した雌雄ボタンがカバー生地の間に隠れることを特徴とする（請求項４）。
【発明の効果】
【００１１】
本発明の便座カバーおよびその取付方法によれば、カバー生地を接合する雌雄ボタンはそれぞれカバー生地の一面のみに露出し、他面には糸が出るだけでボタンは露出しない。したがって、両者を係合したとき、雌雄ボタンは生地の間に挟まれて便座および便器頭部とは一切接触しない。その結果、便座にひびが入ったり、破損したりするような事態はほぼ完全に避けられる。
【図面の簡単な説明】
【００１２】
【図１】本発明の便座カバーの平面図である。
【図２】本発明の便座カバーの裏面図である。
【図３】本発明の便座カバーを便座に取り付けた状態の平面図である。
【図４】本発明の便座カバーを便座に取り付ける直前の状態の裏面図である。
【図５】本発明の便座カバーを便座に取り付けた状態の裏面図である。
【図６】雌雄ボタン同士を係合させる直前の状態の拡大斜視図である。
【図７】（ａ）雌雄ボタン同士を係合させる直前の断面図、（ｂ）係合状態の断面図である。
【発明を実施するための形態】
【００１３】
図１、図２に示すように、この便座カバー１は、洋式便器の便座２の少なくとも上面を覆う長さと幅を有するカバー生地１１を有する。人体と接触する側は多数の立毛パイルを有するものとすることが好ましい。
【００１４】
カバー生地１１の長手方向両端は立毛パイルを有さない平面状の生地１２であり、便座２の支点側の肩部２１に固定するためのベルト１３ａ，１３ｂと留め具１４が設けられている（図４参照）。すべり止めのために、すべり抵抗の大きな肉厚の樹脂１５を設けることもできる。
【００１５】
カバー生地１１の幅方向両端は、立毛パイルを有さない平面状の生地１６ａ，１６ｂであり、そこに合成樹脂製の雌ボタン３および雌ボタン４が複数個設けられている。図示のものは５個ずつであるが、さらに数を増やしてたとえば７個ずつとすることもできる。生地の表側の雌ボタン３はカバー生地１１の左端のみに現れ（図１）、生地の裏側の雄ボタン４はカバー生地１１の右端のみに現れている（図２）。
【００１６】
雌雄ボタン３，４は、図５に示すように、便座裏の突起（リブ）２２を避けるようにして便座２の裏側で係合している（図５）。このとき、雌雄ボタン３，４は生地の間に挟まれて便座２および便器頭部（図示せず）とは一切接触しない。なお、図５において、中央（便座先端）位置の雌雄ボタンは他のボタンと別の色に着色することにより、ボタンのかけ違いを防止することが好ましい。
【００１７】
このボタン３，４は、図６および図7に示すような形状のもので、円板状の基部３１，４１と、基部周縁の隆起部３２，４２と、基部中央から立ち上がる雌嵌合部３３または雄嵌合部４３からなる。基部３１，４１には複数個所（図では４カ所）に貫通孔３４，４４が設けられている。図６、図７から明らかなように、この貫通孔３４，４４を介して糸５，６でボタン３，４が生地１１に取り付けられる。したがって、各ボタン３，４は生地の一面のみに露出し、他面には糸５，６が出るだけでボタンは露出しない。
【００１８】
ボタン３，４は便座２と便器頭部に挟まれるのであるから、ボタンの高さはできるだけ低くあるべきである。好ましくは、雌雄各ボタンのそれぞれの高さは２ｍｍ〜３ｍｍ程度であり、２．５ｍｍ程度が最も好ましい。雌雄ボタンの係合状態の総合高さは、３ｍｍ〜４ｍｍ程度が好ましく、３．５ｍｍ程度が最も好ましい。ボタンの高さは前記した便座裏の突起（リブ）の高さにもよるのはもちろんである。
【先行技術文献】
【特許文献】
【００１９】
【特許文献１】特開平１０―１７９４４９
【特許文献２】特開２００６―３２５９５３
【特許文献３】特開２００９―１１４８２
【特許文献４】特開２００８―２１２４６２
【符号の説明】
【００２０】
１     便座カバー
１１   カバー生地
１３ａ，１３ｂ       ベルト
１４   留め具
１５   肉厚樹脂
１６ａ，１６ｂ       平面状生地
２     便座
２１   肩部
３     雌ボタン
３１   基部
３２   隆起部
３３   雌嵌合部
３４   貫通孔
４     雄ボタン
４１   基部
４２   隆起部
４３   雄嵌合部
４４   貫通孔
５，６ 糸
【図１】
2014054470.tif 000003
【図２】
2014054470.tif 000004
【図３】
2014054470.tif 000005
【図４】
2014054470.tif 000006
【図５】
2014054470.tif 000007
【図６】
2014054470.tif 000008
【図７】
2014054470.tif 000009